(57)【要約】【課題】  不使用時はコンパクトに収納できて占有空間が狭小で足りる省スペースである一方で、必要時には簡易迅速に組み立てて使用することができる組立て浴槽を実現する。【解決手段】  着脱テープによる接合により角錐台状の箱体となるように材料にプラスチック段ボールを用いて浴槽部１１を形成する。材料にプラスチック段ボールを用いた補強材１２を浴槽部１１に重ね合わせて配設する。材料にプラスチック段ボールを用いたフレーム部１３ａ，１３，１４ａ，１４ｂを浴槽部１１の上端部に配設する。パイプ２１ａ，２１ｂおよび棒材３１ａ，３１ｂをフレーム部１３ａ，１３，１４ａ，１４ｂに取り付ける。排水ホース１６が接続される開閉弁１５を浴槽部１１に装着する。供給される湯を溜めるための湯溜袋を浴槽部１１内に収容する。【選択図】        図１
2009178282.tif 000002
【特許請求の範囲】
【請求項１】
着脱手段（１９）を用いて箱体に形成されるとともに、一側壁の下端部に設けられた孔を貫通する、供給された湯を排出するための排水ホース（１６）が接続される開閉弁（１５）が装着されたプラスチック段ボールを用いた浴槽部（１１）と、
前記浴槽部の上端部に固着され相互に係止するための係止手段（２１ａ，２１ｂ，３１ａ，３１ｂ）を有する前記プラスチック段ボールを用いた断面凹字状のフレーム部（１３ａ，１３ｂ，１４ａ，１４ｂ）と、
前記浴槽部内に収容され前記供給された湯を排出するための孔（４２）が設けられた、防水性を有する素材からなる供給される前記湯を溜めるための湯溜袋（４１）とを
具備した組立て浴槽。
【請求項２】
プラスチック段ボールを用いた四角皿状の床部（１００）と、
前記床部上に載置される、少なくとも開閉扉（７２）が設けられた壁部構成材（７１）を含む４つの壁部構成材（７６，８０，８４）が折り畳み可能に繋ぎ合わされて四角筒状に形成された前記プラスチック段ボールを用いた壁部（７０）と、
前記壁部の上端部に嵌合して配設される、前記プラスチック段ボールを用いた四角皿状の屋根部（６０）とを
具備したブース。
【発明の詳細な説明】
【技術分野】
【０００１】
本発明は組立て浴槽とブースに関する。より詳しくは、とくに災害発生時などの緊急時に有用なものであって、不使用時は、コンパクトに収納できて占有空間が狭小で足りる省スペースである一方で、災害発生などにより使用が必要になれば、簡易迅速に組み立てて使用することができるとともに、使用が不要になれば簡便に撤去することが可能な組立て浴槽とブースを提供せんとするものである。
【背景技術】
【０００２】
例えば、震度の大きい地震の発生により、家屋が倒壊したり、あるいは、倒壊しないまでも余震の可能性があり、そのまま家屋内に留まるのが危険である場合は、体育館や公民館などの公的施設を避難所として罹災者が避難することが行われている。
【０００３】
また、近隣に体育館や公民館などが存在しない場合、あるいは、存在しても多数の罹災者が集まる避難所を敬遠する場合は、所有する自動車内で地震が終息するまで過ごす罹災者も存在する。
【０００４】
しかし、罹災者が体育館や公民館などの公的施設に避難する場合は、多数の罹災者が同一空間内で隣り合わせて生活を送るため、個々人のプライバシーが守られないことになる。また、避難生活が長期間にわたると、精神的な抑圧のため肉体的、精神的に変調をきたす罹災者も現れてくる。
【０００５】
また、体育館や公民館などではなく、避難のため自動車内で過ごす場合は、それが同じ姿勢のままの状態で長時間継続すると、航空機の乗客が発症する、いわゆるエコノミークラス症候群（肺動脈血栓塞栓症）と同様の症状が起き、死に至る事態が発生することも指摘されている。
【０００６】
そこで、段ボールを用いた皿状の床部と、床部上に載置される、窓部を形成するための切れ目及び取っ手を有する扉部を形成するための切れ目が設けられた段ボールを用いた筒状の壁部と、壁部の上端部に嵌合して配設される、段ボールを用いた皿状の屋根部とにより構成される緊急時用のシェルター、およびシェルター内で避難生活を送る場合に使用する段ボール製のベッドや便器などが提案されている。
【特許文献１】実用新案登録第３１３５７５８号公報
【発明の開示】
【発明が解決しようとする課題】
【０００７】
しかしながら、上記従来例によると、簡易迅速な組立てが可能であり、また、体育館や公民館などに避難する場合とは異なり個々人のプライバシーが守られるものの、例えば、シェルター内での避難生活が長期間となり、しかも、時期が気温が高い季節であるような場合に、入浴を望むときは、大衆浴場を利用するか、あるいは、浴槽に防水テント生地を用い多数の者が入浴することができる野外用の入浴手段が提供されれば、これを利用することになる。しかし、これらは、多数の者が同時に入浴するものであるため、入浴を逡巡する者もおり、また、入浴しても入浴時間が制限されてしまう。
【０００８】
他方、近隣に大衆浴場が存在しない場合や存在しても大衆浴場も災害により被害を被って利用することができない場合、また、野外用の防水テント生地を用いた入浴手段が提供されない場合は、入浴を断念せざるを得ないことになる。以上のような解決すべき課題が、上記従来例にはあった。
【課題を解決するための手段】
【０００９】
そこで、上記課題に照らし、本発明はなされたものである。そのために、本発明では、プラスチック段ボールを材料として着脱手段を用いて浴槽部を箱体に形成する。浴槽部の一側壁の下端部に孔を設け、この孔を貫通する、供給された湯を排出するための排水ホースが接続される開閉弁を装着する。相互に係止するための係止手段を有するプラスチック段ボールを用いた断面凹字状のフレーム部を、浴槽部の上端部に固着する。供給された湯を排出するための孔が設けられた、防水性を有する素材からなる湯を溜めるための湯溜袋を、浴槽部内に収容する。
【００１０】
また、プラスチック段ボールを材料として四角皿状に形成された床部と、床部上に載置される、少なくとも開閉扉が設けられた壁部構成材を含む４つの壁部構成材が折り畳み可能に繋ぎ合わされて四角筒状に形成されたプラスチック段ボールを用いた壁部と、壁部の上端部に嵌合して配設される、プラスチック段ボールを用いて四角皿状に形成された屋根部とによりブースを構成する。以上のような手段を用いるようにした。
【発明の効果】
【００１１】
本発明によるならば、不使用時は、省スペースすなわちコンパクトに収納できて占有空間が狭小ですむ。他方、災害発生時などの緊急時には、簡易迅速に組み立てて使用することが可能であり、かつ、災害などが終息した後は簡易に撤去することができる。また、材料としてプラスチック段ボールを用いていることから、耐水性および耐油性に優れ、また、緩衝性・耐久性・断熱性を確保することができる。したがって、本発明によりもたらされる効果は、実用上極めて大きい。
【発明を実施するための最良の形態】
【００１２】
本発明による組立て浴槽は、着脱手段を用いて箱体に形成されるとともに、一側壁の下端部に設けられた孔を貫通する、供給された湯を排出するための排水ホースが接続される開閉弁が装着されたプラスチック段ボールを用いた浴槽部と、浴槽部の上端部に固着され相互に係止するための係止手段を有するプラスチック段ボールを用いた断面凹字状のフレーム部と、浴槽部内に収容され、供給された湯を排出するための孔が設けられた、防水性を有する素材からなる供給される湯を溜めるための湯溜袋とからなる。また、本発明によるブースは、プラスチック段ボールを材料として四角皿状に形成された床部と、床部上に載置される、少なくとも開閉扉が設けられた壁部構成材を含む４つの壁部構成材が折り畳み可能に繋ぎ合わされて四角筒状に形成されたプラスチック段ボールを用いた壁部と、壁部の上端部に嵌合して配設される、プラスチック段ボールを用いて四角皿状に形成された屋根部とからなる。以下、実施例により詳しく説明する。
【実施例１】
【００１３】
本発明の一実施例を、図１に示し説明する。ここで、図１は、本実施例における組立て浴槽の構成を示す斜視図である。
【００１４】
図１において、本実施例における浴槽は、角錐台状の箱体に形成されており、浴槽部１１と、浴槽部１１の内側に重ね合わせて配設された補強材１２と、たわみ防止のための各フレーム部１３ａ，１３，１４ａ，１４ｂと、浴槽が角錐台状の箱体の形態を保持するための各パイプ２１ａ，２１ｂおよび各棒材３１ａ，３１ｂと、浴槽部１１に装着された開閉弁１５と、開閉弁１５に接続された、浴槽内に供給された湯を排出するための排水ホース１６と、浴槽部１１内に収容される、ここでは図示されてはいない供給される湯を溜めるための湯溜袋とにより構成されている。
【００１５】
図２は、図１に示した浴槽部１１の展開図であり、図中の破線は、折り曲げ線を示している（破線が折り曲げ線を示すことは、以下の各展開図において同じ）。各側壁１７ａ，１７ｂと重ね合わされる各重合片１８ａ〜ｄの表面には、プラスチックの細い繊維からなる細かいフック状のものを表面に無数に密生させた着脱テープ１９が、それぞれ６つずつ固着されている。また、各側壁１７ａ，１７ｂの裏面には、破線で示すように、各重合片１８ａ〜ｄに固着された６つずつの着脱テープ１９と接合する、それぞれ１２の着脱テープ１９が固着されている。
【００１６】
このような構成の浴槽部１１の材料には、図３（ａ）（断面図）に示すように、ポリプロピレンを用いた２枚のライナー・シート２００ａ，２００ｂと、これらにより挟まれた、ポリプロピレンを用いた中芯２０１とにより構成されるもの（以下、「プラスチック段ボール」という。）が使用されている。中芯２０１は、図３（ｂ）（一部を切り欠いた斜視図）に示すように、狭幅のリボン状に形成され、一軸方向において等間隔に配されており、図２の一部を切り欠いた表示には、この中芯２０１の配列方向が示されている（一部を切り欠いた表示が中芯２０１の配列方向を示している点は、以下の各展開図において同じ）。このようなプラスチック段ボールは、耐水性・耐油性をはじめとして緩衝性・耐久性・断熱性を有するものとして公知のものである。
【００１７】
用いるプラスチック段ボールの厚さｔは、本実施例では４mmであるが、本発明は、これに限定されるものではない。また、浴槽部１１のサイズは、本実施例では、長手方向における最大幅が1302mm、短手方向における最大幅が656mm、高さが528mmである。なお、図１に示した補強材１２および各フレーム部１３ａ，１３ｂ，１４ａ，１４ｂにも、浴槽部１１と同一の材料を使用している。
【００１８】
図４は、図１に示した浴槽部１１の内側に重ね合わせて配設される補強材１２の展開図である。この補強材１２は、浴槽内に湯が供給された場合の浴槽としての強度を確保するためのものである。補強材１２は、浴槽部１１に内接するサイズに形成されており、適宜の箇所においてスポット状に浴槽部１１に超音波溶着されている。
【００１９】
図５は、図１に示した各フレーム部１３ａ，１３ｂ，１４ａ，１４ｂの展開図であり、図５（ａ）は、浴槽部１１の長手方向の上端部に配設されるフレーム部１３ａの構成を示し、図５（ｂ）は、浴槽部１１の短手方向の上端部に配設されるフレーム部１４ａの構成を示している。これらのフレーム部１３ａ，１４ａは、断面凹字状に折り曲げられて、重ね合わされた浴槽部１１および補強材１２に、スポット状に適宜の箇所においてそれぞれ溶着されている。なお、図５（ａ）および（ｂ）では、説明を簡単にするため、それぞれ一方のフレーム部１３ａ，１４ａの構成のみを図示したが、他方のフレーム部１３ｂ，１４ｂの構成も同一である。
【００２０】
図６（ａ）は、図１に示した、浴槽が角錐台状の箱体の形態を保持するためのパイプ２１ａの構成を示す側面図である。このパイプ２１ａの素材は、本実施例ではステンレスであり、両端部には円錐台状に形成されたプラスチック製のキャップ２２ａ，２２ｂが、それぞれ嵌合して固着されている。ここにおけるパイプ２１ａは、図６（ｂ）（断面図）に示すように、フレーム部１３ａの折り返し部分と浴槽部１１および補強材１２の端部との間の空隙内に挿通されるようにして、対向する１対のフレーム部１３ａ，１３ｂに取り付けられている。
【００２１】
図６（ｃ）は、図６（ａ）に示したパイプ２１ａとともに浴槽が角錐台状の箱体の形態を保持するための棒材３１ａの構成を示す側面図である。この棒材３１ａの素材も、本実施例ではステンレスであって、両端にはコ字状に形成された係止部３２ａ，３２ｂを有しており、係止部３２ａ，３２ｂが、図６（ｄ）（斜視図）に示すように、パイプ２１ａに係止することにより、浴槽が角錐台状の箱体の形態を保持し得るようになっている。なお、棒材３１ａは、パイプ２１ａについて図６（ｂ）に示したところと同様にして、フレーム部１４ａ（図１）の折り返し部分と浴槽部１１の端部との間の空隙内に挿通されるようにして、対向する１対のフレーム部１４ａ，１４ｂに取り付けられている。なお、図６（ａ）および（ｃ）では、説明の簡単のため、それぞれ一方のパイプ２１ａおよび棒材３１ａの構成のみを図示したが、他方のパイプ２１ｂおよび棒材３１ｂの構成も同一である。
【００２２】
図７（ａ）は、図１に示した浴槽部１１内に収容される、供給される湯を溜めるための湯溜袋４１の構成を示す斜視図である。この湯溜袋４１は、本実施例では、素材に透明の軟質のポリエチレンが用いられて箱体状に形成されており、一側壁の下端部に円形の孔４２が設けられている。ここにおける孔４２は、入浴が終了した後に、湯溜袋４１内の湯を排出するためのものである。
【００２３】
すなわち、図７（ｂ）（部分断面図）に示すように、浴槽部１１の一側壁の下端部に設けられた孔を貫通して装着された開閉弁１５の端部開口と、湯溜袋４１に設けられた孔４２とを一致させたうえで、開閉弁１５の端部を覆っている湯溜袋４１の上からナット２０を開閉弁１５の端部に螺合させる。これにより、湯溜袋４１内の湯は、開閉弁１５およびこれに接続された排出ホース１６を介して外部に排出されることになる。なお、湯溜袋４１の素材は、ポリエチレンに限られるものではなく、防水性を有する素材であればよい。
【００２４】
以上の各構成要素からなる浴槽を使用する場合は、図１に示した状態となるように、浴槽部１１の側壁となる部分を折り曲げ線（図２参照）に沿ってそれぞれ折り曲げて立ち上げ、かつ、各重合片１８ａ〜ｄを折り曲げ線に沿ってそれぞれ折り曲げたうえで、着脱テープ１９により重なる部分を接合する。重なる部分を接合したならば、図６（ｄ）により説明したように、各パイプ２１ａ，２２ｂの両端部に、各棒材３１ａ，３１ｂの係止部３２ａ，３２ｂをそれぞれ係止すれば、組立てが完了する。組立てが完了するまでの所要時間は、数分程度である。
【００２５】
そこで、浴槽部１１内に収容された湯溜袋４１の内部に、適度の温度の湯を供給し、湯が入浴に充分な量に溜まったならば、入浴することができることになる。そして、入浴が終了したならば、開閉弁１５およびこれに接続された排出ホース１６を介して、湯溜袋４１内の湯を外部に排出することになる。
【００２６】
入浴が終了して湯を排出した後は、各パイプ２１ａ，２２ｂの両端部に係止されている各棒材３１ａ，３１ｂの係止部３２ａ，３２ｂをそれぞれ外し、着脱テープ１９による浴槽部１１における重なる部分の接合状態を解除すれば、容易に移動させて他の場所に保管することができる。しかも、占有空間が狭小で足り、コンパクトに収納しておくことが可能である。
【００２７】
以上においては、浴槽部１１のサイズが、長手方向における最大幅が1302mm、短手方向における最大幅が656mm、高さが528mmである場合について説明した。これは、人間が入浴するのに適したサイズとして設定したものであるが、サイズをより小さいものとするならば、愛玩動物用の浴槽として利用することもできる。
【００２８】
図８は、以上説明した浴槽を配置して入浴するのに適したブースの構成を示す斜視図である。ここに示したブース５０は、屋根部６０と、壁部７０と、床部１００とにより構成されている。ここで、屋根部６０の構成と床部１００の構成は同一であり、以下では、屋根部６０および壁部７０の構成について説明する。
【００２９】
図９は、屋根部６０の構成を示す斜視図である。屋根本体６１は四角皿状に形成され、対向する１対の側壁の内側には、図１０（展開図）に示すように、強度を確保するための帯状の各補強材６２ａ，６２ｂが溶着されている。屋根本体６１および各補強材６２ａ，６２ｂの材料は、上述した浴槽部１１などに用いられている材料と同一であるが、採光性を考慮して半透明のプラスチック段ボールが使用されている。屋根本体６１のサイズは、本実施例では、長手方向の長さが2042mm、短手方向の長さが1406mm、側壁の高さが97mmである。
【００３０】
図９において、屋根本体６１の各側壁の縁部には、屋根本体６１がたわむのを防止するために、断面凹字状のプラスチック製の各フレーム６３ａ，６３ｂ，６４ａ，６４ｂが嵌合して固着されている。また、各フレーム６３ａ〜ｄの端部どうしが近接する四隅には、断面凹字状で平面Ｌ字状のプラスチック製の各コーナー・アングル６５ａ〜ｄが嵌合して固着されている。
【００３１】
図１１は、図８に示した壁部７０の構成を示す斜視図である。壁部７０は、それぞれＬ字状に折り曲げられた４つの壁部構成材７１，７６，８０，８４により四角筒状に形成されている。壁部構成材７１，７６，８０，８４の材料は、屋根本体６１の材料と同じであるが、外部からブース５０の内部が視認できないようにするために、例えば黄色、オレンジ色などの色彩を有するものを使用している。
【００３２】
図１２（ａ）は、正面の側壁となる壁部構成材７１の展開図である。この壁部構成材７１には、取っ手７３が取り付けられた出入り用の開閉扉７２が設けられており、その縁部には、断面凹字状のプラスチック製のフレーム７４が嵌合して固着され、このフレーム７４が接合する壁部構成材７１側にも断面凹字状のプラスチック製のフレーム７５が嵌合して固着されている。開閉扉７２の材料は、壁部構成材７１の材料と同一である。
【００３３】
図１２（ｂ）は、開閉扉７２が設けられている壁部構成材７１と隣り合う壁部構成材７６の展開図である。この壁部構成材７６の上部には、方形の開閉窓７７が設けられており、その縁部には、断面凹字状のプラスチック製のフレーム７８が嵌合して固着され、このフレーム７８が接合する壁部構成材７６側にも断面凹字状のプラスチック製のフレーム７９が嵌合して固着されている。開閉窓７７の材料は、壁部構成材７６の材料と同一である。
【００３４】
図１３（ａ）は、方形の開閉窓７７が設けられている壁部構成材７６と隣り合う壁部構成材８０の展開図である。この壁部構成材８０の上部には、細長方形の開閉窓８１が設けられており、その縁部には、断面凹字状のプラスチック製のフレーム８２が嵌合して固着され、このフレーム８２が接合する壁部構成材８０側にも断面凹字状のプラスチック製のフレーム８３が嵌合して固着されている。開閉窓８１の材料は、壁部構成材８０の材料と同一である。なお、壁部構成材７１に開閉扉７２を設けることは、本発明の構成上の必須要件であるが、開閉窓７７，８１を設けることは、必ずしも構成上の必須要件ではない。
【００３５】
図１３（ｂ）は、細長方形の開閉窓８１が設けられている壁部構成材８０と隣り合う壁部構成材８４の展開図である。
【００３６】
以上の壁部７０を構成する各壁部構成材７１，７６，８０，８４のサイズは、本実施例では、すべて縦が1800mm、横が1588mmである。なお、配設する開閉窓の個数・形状・サイズ・配設位置は、図示したものに限られるものではなく、適宜設定するようにすればよい。
【００３７】
以上のような構成の各壁部構成材７１，７６，８０，８４の屋内側となる面には、図１４に示すように、各壁部構成材７１，７６，８０，８４の形状に対応するように形成された各補強材８５，８６ａ〜ｄ，８７〜８９が溶着されている。各補強材８５，８６ａ〜ｄ，８７〜８９の材料は、壁部構成材７１，７６，８０，８４の材料と同一である。
【００３８】
このような補強材８５，８６ａ〜ｄ，８７〜８９が溶着された各壁部構成材７１，７６，８０，８４は、四角筒状となるように相互に繋ぎ合わされている。すなわち、図１５に示すように、補強材８５，８６ａ〜ｄ，８７〜８９と同一の材料の、幅が異なる２種の帯状の繋ぎ材９０ａ，９０ｂ，９１ａ，９１ｂを用い、これを溶着することにより各壁部構成材７１，７６，８０，８４を相互に繋ぎ合わせている。なお、図面上で左端の壁部構成材８０と右端の壁部構成材８４は、繋ぎ材９０ａにより繋ぎ合わされる。
【００３９】
このようにして繋ぎ合わされた、補強材８５，８６ａ〜ｄ，８７〜８９が溶着された各壁部構成材７１，７６，８０，８４の上下両端部には、図１１に示すように、断面凹字状のプラスチック製の長短２種の各フレーム９２ａ〜ｃ，９３ａ〜ｆが嵌合して固着されている。そして、各フレーム９２ａ〜ｃ，９３ａ〜ｆの端部どうしが近接する箇所には、断面凹字状でプラスチック製の回転式のコーナー・アングル９４ａ〜ｉが嵌合して固着されている。すなわち、壁部７０は、折り畳めるように構成されている。
【００４０】
なお、開閉扉７２および各開閉窓７７，８１は、外部側に引っ張られて開かないようにするために、開閉扉７２および各開閉窓７７，８１の屋内側の面に着脱テープを固着し、これと接合する着脱テープを壁部構成材７１，７６，８０の屋内側に固着するとよい。また、開閉扉７２および各開閉窓７７，８１が、外部からブース５０の内部側に押し込まれて開かないようにするために、ストッパーとして、例えば板状の部材を、壁部構成材７１，７６，８０の屋内側に配設するとよい。
【００４１】
以上のように構成されたブース５０は、不使用時は、図１６に示すように、折り畳んだ壁部７０を床部１００内に載置して収容し、上から屋根部６０により覆って保管しておくことができる。すなわち、占有空間が狭小で足り、コンパクトに収納することが可能である。
【００４２】
他方、災害発生時などの緊急時においてブース５０を使用する場合は、まず、折り畳んだ壁部７０を覆っている屋根部６０を取り除く。屋根部６０を取り除いたならば、横置きされている壁部７０を垂直に起こしたうえで、床部１００上で壁部７０を四角筒状となるように展開する。壁部７０が四角筒状に展開されたならば、壁部７０の上端部に屋根部６０を嵌合して取り付ける。これによりブース５０の組立ては完了し、使用可能な状態となる。組立てが完了するまでの所要時間は、数分程度であり、極めて簡易迅速に組み立てることができる。
【００４３】
なお、屋根部６０の側壁内側と壁部７０の外壁上端部、および床部１００側壁内側と壁部７０の外壁下端部のそれぞれの適宜の箇所に着脱テープを配設すれば、屋根部６０と壁部７０上端部との重合状態、および床部１００と壁部７０下端部との重合状態のそれぞれの密着性を確保することができる。
【００４４】
また、図１７（ａ）（斜視図）に示すように、壁部７０の下部四周に、例えば透明のポリエチレン製の帯状の防水シート９５を、その下端部を両面テープなどを用いて固着し、図１７（ｂ）に示すように、上端部側から折り返して壁部７０の下部および床部１００の側壁をスカート状に覆うようにするならば、雨水がブース５０内に浸入するのを防ぐことができる。
【００４５】
以上においては、外部からブース５０の内部を視認できないようにするために、壁部７０の材料として色彩を有するプラスチック段ボールを用いる場合について説明した。これに対して、屋根部６０および床部１００だけでなく壁部７０にも、その材料として半透明のプラスチック段ボールを使用して採光性を確保するならば、本発明によるブース５０は、家庭菜園用の温室としても利用することが可能となる。その場合は、壁部構成材に補強材を重ね合わせる構成としなくてよい。
【００４６】
また、本発明によるブース５０は、とくに災害発生時などの緊急時において有用性を発揮するが、緊急時における使用だけでなく、その他にも、例えばイベント用のブース５０として利用することも可能である。
【図面の簡単な説明】
【００４７】
【図１】本発明の一実施例の構成を示す斜視図である。
【図２】図１に示した浴槽部の構成を示す展開図である。
【図３】図１に示した浴槽部の材料の構成を示す構成図である。
【図４】図１に示した補強材の構成を示す展開図である。
【図５】図１に示したフレーム部の構成を示す展開図である。
【図６】図１に示したパイプおよび棒材の構成を示す構成図である。
【図７】図１に示した浴槽部の内部に収容される湯溜袋の構成を示す構成図である。
【図８】図７に示した浴槽を配置するのに適したブースの構成を示す斜視図である。
【図９】図８に示した屋根部の構成を示す斜視図である。
【図１０】図９に示した屋根部の展開図である。
【図１１】図８に示した壁部の構成を示す斜視図である。
【図１２】図１１に示した壁部を構成する壁部構成材の構成を示す展開図である。
【図１３】図１２とともに図１１に示した壁部を構成する壁部構成材の構成を示す展開図である。
【図１４】図１２および図１３に示した各壁部構成材を補強するための補強材の構成を示す構成である。
【図１５】図１２および図１３に示した各壁部構成材を繋ぎ合わせて四角筒状に形成するための構成を示す構成図である。
【図１６】図８に示したブースの不使用時に収納する場合の手順を説明するための説明図である。
【図１７】図８に示したブース内への雨水の浸入を防ぐための構成を示す構成図である。
【符号の説明】
【００４８】
１１  浴槽部
１２  補強材
１３ａ，１３ｂ，１４ａ，１４ｂ  フレーム部
１５  開閉弁
１６  排水ホース
１７ａ，１７ｂ  側壁
１８ａ〜１８ｄ  重合片
１９  着脱テープ
２０  ナット
２１ａ，２１ｂ  パイプ
２２ａ，２２ｂ  キャップ
３１ａ，３１ｂ  棒材
３２ａ，３２ｂ  係止部
４１  湯溜袋
４２  孔
５０  ブース
６０  屋根部
６１  屋根本体
６２ａ，６２ｂ  補強材
６３ａ，６３ｂ，６４ａ，６４ｂ  フレーム
６５ａ〜６５ｄ  コーナー・アングル
７０  壁部
７１  壁部構成材
７２  開閉扉
７３  取っ手
７４，７５  フレーム
７６  壁部構成材
７７  開閉窓
７８，７９  フレーム
８０  壁部構成材
８１  開閉窓
８２，８３  フレーム
８４  壁部構成材  
８５，８６ａ〜８６ｄ，８７，８８，８９  補強材
９０ａ，９０ｂ，９１ａ，９１ｂ  繋ぎ材
９２ａ〜９２ｃ，９３ａ〜９３ｆ  フレーム
９４ａ〜９４ｉ  コーナー・アングル
９５  防水シート
１００  床部
２００ａ，２００ｂ  ライナー・シート
２０１  中芯
【図１】
2009178282.tif 000003
【図２】
2009178282.tif 000004
【図３】
2009178282.tif 000005
【図４】
2009178282.tif 000006
【図５】
2009178282.tif 000007
【図６】
2009178282.tif 000008
【図７】
2009178282.tif 000009
【図８】
2009178282.tif 000010
【図９】
2009178282.tif 000011
【図１０】
2009178282.tif 000012
【図１１】
2009178282.tif 000013
【図１２】
2009178282.tif 000014
【図１３】
2009178282.tif 000015
【図１４】
2009178282.tif 000016
【図１５】
2009178282.tif 000017
【図１６】
2009178282.tif 000018
【図１７】
2009178282.tif 000019